(57)【特許請求の範囲】
【請求項１】
スクイズ変形可能で復元自在な可撓性を有する外層の内側に、内容物を収容し、かつ内圧の減少によりしぼみ変形する可撓性に富む内層を剥離可能に積層して、壜体状にブロー成形された容器本体と、該容器本体の口部に着脱自在に螺着された封止キャップとから構成され、外層における前記口部の形成部分に、封止キャップの周壁部の内面に形成された雌ねじ部に螺合する雄ねじ部と、外層と内層との間に外気を吸入する空気孔とが形成され、内容物の使用に際し、前記封止キャップに替えて、内容物の注出口が形成された注出キャップが前記容器本体の口部に螺着される積層剥離ボトルであって、
前記空気孔は、外層における前記口部の形成部分において、前記雄ねじ部よりもこの積層剥離ボトルの中心軸線方向の上方に形成され、
外層における前記口部の形成部分の外面、および封止キャップの周壁部の内面のいずれか一方において、空気孔と雄ねじ部との間に位置する部分に、その全周にわたって、他方に密接するシール凸部が形成されていることを特徴とする積層剥離ボトル。
【請求項２】
請求項１記載の積層剥離ボトルにおいて、
前記シール凸部は封止キャップの周壁部の内面に形成され、外層における前記口部の形成部分において、前記シール凸部が密接するシール面よりも前記中心軸線方向の上方に位置する部分の外径は、このシール面の外径よりも小さく、かつ前記シール凸部の内径よりも小さくされていることを特徴とする積層剥離ボトル。
【請求項３】
請求項１記載の積層剥離ボトルにおいて、
前記シール凸部は、外層における前記口部の形成部分の外面に形成され、封止キャップの周壁部において、前記シール凸部が密接するシール面よりも前記中心軸線方向の下方に位置する部分の内径は、このシール面の内径よりも大きく、かつ前記シール凸部の外径よりも大きくされていることを特徴とする積層剥離ボトル。
【発明の詳細な説明】
【技術分野】
【０００１】
本発明は積層剥離ボトルに関するものである。
【背景技術】
【０００２】
この種の積層剥離ボトルとして、例えば下記特許文献１および２に示されるような、スクイズ変形可能で復元自在な可撓性を有する外層の内側に、内容物を収容し、かつ内圧の減少によりしぼみ変形する可撓性に富む内層を剥離可能に積層して、壜体状にブロー成形された容器本体と、該容器本体の口部に着脱自在に螺着された封止キャップとから構成され、外層における前記口部の形成部分に、封止キャップの周壁部の内面に形成された雌ねじ部に螺合する雄ねじ部と、外層と内層との間に外気を吸入する空気孔とが形成された構成が知られている。
そして、需要者において内容物を使用する際、封止キャップに替えて、内容物の注出口を有する注出キャップを螺着し、外層をスクイズして内層を押圧することにより内層内の内容物を注出口から注出する。このように内容物を注出する過程で内層のしぼみ変形が進行する。そして、外層のスクイズを解除すると、外層は元の形状に復元する一方、内層は外層の復元変形に追従せず、これにより外層と内層との間に負圧が発生し、空気孔から外層と内層との間に空気が吸引されて内層が外層から剥離する。
【特許文献１】特開２００１−１１４３２８号公報
【特許文献２】特開２００１−１４６２６０号公報
【発明の開示】
【発明が解決しようとする課題】
【０００３】
ところで、前記従来の積層剥離ボトルでは、内容物の不使用期間中に、内層内に収容された内容物やこれに含有された成分の蒸発等による気化ガスが内層を透過して空気孔から外部に漏出するおそれがあった。
【０００４】
本発明は、このような事情を考慮してなされたもので、内層内の内容物やこれに含有された成分の蒸発等による気化ガスが外部に漏出するのを防ぐことができる積層剥離ボトルを提供することを目的とする。
【課題を解決するための手段】
【０００５】
上記課題を解決して、このような目的を達成するために、本発明の積層剥離ボトルは、スクイズ変形可能で復元自在な可撓性を有する外層の内側に、内容物を収容し、かつ内圧の減少によりしぼみ変形する可撓性に富む内層を剥離可能に積層して、壜体状にブロー成形された容器本体と、該容器本体の口部に着脱自在に螺着された封止キャップとから構成され、外層における前記口部の形成部分に、封止キャップの周壁部の内面に形成された雌ねじ部に螺合する雄ねじ部と、外層と内層との間に外気を吸入する空気孔とが形成され、内容物の使用に際し、前記封止キャップに替えて、内容物の注出口が形成された注出キャップが前記容器本体の口部に螺着される積層剥離ボトルであって、前記空気孔は、外層における前記口部の形成部分において、前記雄ねじ部よりもこの積層剥離ボトルの中心軸線方向の上方に形成され、外層における前記口部の形成部分の外面、および封止キャップの周壁部の内面のいずれか一方において、空気孔と雄ねじ部との間に位置する部分に、その全周にわたって、他方に密接するシール凸部が形成されていることを特徴とする。
この発明では、外層における前記口部の形成部分の外面、および封止キャップの周壁部の内面のいずれか一方において、空気孔と雄ねじ部との間に位置する部分に、その全周にわたって、他方に密接するシール凸部が形成されているので、内層内の内容物やこれに含有された成分の蒸発等による気化ガスが、内層を透過して空気孔を通過し前記中心軸線方向の下方に向けて流れ、封止キャップの開放端から外部に漏出しようとしても、この流れを前記シール凸部によって堰き止めることが可能になり、このガスが外部に漏出するのを防ぐことができる。また、外部からのガス侵入を防止することもできる。さらに、空気孔を通過したガスを、雄ねじ部および雌ねじ部が螺合した位置に到達する前に、前記シール凸部により堰き止めることが可能になり、これらの雄ねじ部および雌ねじ部が密着するのを防ぐことができる。
【０００６】
ここで、前記シール凸部は封止キャップの周壁部の内面に形成され、外層における前記口部の形成部分において、前記シール凸部が密接するシール面よりも前記中心軸線方向の上方に位置する部分の外径は、このシール面の外径よりも小さく、かつ前記シール凸部の内径よりも小さくされてもよい。
これに代えて、前記シール凸部は、外層における前記口部の形成部分の外面に形成され、封止キャップの周壁部において、前記シール凸部が密接するシール面よりも前記中心軸線方向の下方に位置する部分の内径は、このシール面の内径よりも大きく、かつ前記シール凸部の外径よりも大きくされてもよい。
また、これらの場合、封止キャップを容器本体の口部に着脱する際に、シール凸部が、封止キャップの周壁部の内面または外層における前記口部の形成部分の外面に引っかかるのを抑制することが可能になり、前記シール凸部を形成したことによって、封止キャップを容器本体の口部に着脱し難くなるのを防ぐことができる。
【発明の効果】
【０００７】
この発明に係る積層剥離ボトルによれば、内層内の内容物やこれに含有された成分の蒸発等による気化ガスが外部に漏出するのを防ぐことが可能になり、内容物の変質、および重量減少を抑制することができる。また、酸素等の外気の侵入も防ぐことができる。
【発明を実施するための最良の形態】
【０００８】
以下、図面を参照し、この発明の実施の形態について説明する。この実施形態に係る積層剥離ボトル１０は、スクイズ変形可能で復元自在な可撓性を有する外層１１の内側に、内容物を収容し、かつ内圧の減少によりしぼみ変形する可撓性に富む内層１２を剥離可能に積層して、壜体状にブロー成形された容器本体１３と、該容器本体１３の口部１３ａに着脱自在に螺着された封止キャップ１４とを備えている。
そして、外層１１における前記口部１３ａの形成部分（以下、「外層口部」という）１１ａに、封止キャップ１４の周壁部１４ｂの内面に形成された雌ねじ部１４ｃに螺合する雄ねじ部１１ｂと、外層１１と内層１２との間に外気を吸入する空気孔１５とが形成されている。
【０００９】
以上の積層剥離ボトル１０は、封止キャップ１４が容器本体１３の口部１３ａに螺着されて販売され、需要者は内容物を使用する際、この封止キャップ１４に替えて、内容物の注出口を有する図示されない注出キャップを螺着し、外層１１をスクイズして内層１２を押圧することにより、内層１２内の内容物を注出口から注出する。このように内容物を注出する過程で内層１２のしぼみ変形が進行する。そして、外層１１のスクイズを解除すると、外層１１は元の形状に復元する一方、内層１２は外層１１の復元変形に追従せず、これにより外層１１と内層１２との間に負圧が発生し、空気孔１５から外層１１と内層１２との間に空気が吸引されて内層１２が外層１１から剥離するようになっている。
【００１０】
なお、積層剥離ボトル１０は、共押出し成形した二層構造のパリソンを壜体状にブロー成形して形成され、例えば、外層１１はポリエチレン樹脂製とされるとともに、内層１２はポリエチレン樹脂に対して相溶性のないナイロン樹脂製とされている。また、封止キャップ１４はポリプロピレン樹脂製とされている。さらに、封止キャップ１４の天板部１４ａの内面には、その略全域にわたって例えば熱可塑性樹脂からなるシール材１８が設けられ、封止キャップ１４は、このシール材１８を容器本体１３の上端開口部に密接させた状態で口部１３ａに螺着している。
【００１１】
なお、積層剥離ボトル１０の中心軸線Ｏは、口部１３ａに螺着された封止キャップ１４、および容器本体１３それぞれの径方向に直交し、かつこの径方向の中央部を通る直線とされている。
【００１２】
そして、本実施形態では、空気孔１５は、外層口部１１ａにおいて雄ねじ部１１ｂよりも前記中心軸線Ｏ方向の上方に形成され、封止キャップ１４の周壁部１４ｂの内面において、空気孔１５と雄ねじ部１１ｂとの間に位置する部分に、その全周にわたって、外層口部１１ａの外面に密接するシール凸部１６が形成されている。なお、シール凸部１６は、この積層剥離ボトル１０の径方向に弾性変形域内で圧縮変形させられて、外層口部１１ａの後述するシール面１７に密接している。
【００１３】
図示の例では、シール凸部１６は封止キャップ１４の周壁部１４ｂの内面の全周にわたって条状に延在している。また、外層口部１１ａにおいて、シール凸部１６が密接するシール面１７よりも前記中心軸線Ｏ方向の上方に位置する部分の外径は、このシール面１７の外径よりも小さく、かつシール凸部１６の内径よりも小さくされている。さらに、シール凸部１６の前記中心軸線Ｏ方向における大きさは、外層口部１１ａにおいて空気孔１５の前記中心軸線Ｏ方向の下端から雄ねじ部１１ｂの前記中心軸線Ｏ方向の上端までの距離以下とされている。
【００１４】
なお、シール面１７の外径は雌ねじ部１４ｃのねじ山部分における内径よりも小さくされている。また、シール凸部１６の内径は雌ねじ部１４ｃのねじ山部分における内径よりも大きくなっている。
【００１５】
以上説明したように本実施形態に係る積層剥離ボトル１０によれば、外層口部１１ａの外面、および封止キャップ１４の周壁部１４ｂの内面のいずれか一方において、空気孔１５と雄ねじ部１１ｂとの間に位置する部分に、その全周にわたって、他方に密接するシール凸部１６が形成されているので、内層１２内の内容物やこれに含有された成分の蒸発等による気化ガスが、内層１２を透過して空気孔１５を通過し前記中心軸線Ｏ方向の下方に向けて流れ、封止キャップ１４の開放端部１４ｆから外部に漏出しようとしても、この流れをシール凸部１６とシール面１７との密接によって堰き止めることが可能になり、このガスが外部に漏出するのを防ぐことができる。また、外部からのガス侵入を防止することもできる。さらに、空気孔１５を通過したガスを、雄ねじ部１１ｂおよび雌ねじ部１４ｃが螺合した位置に到達する前に、シール凸部１６により堰き止めることが可能になり、これらの雄ねじ部１１ｂおよび雌ねじ部１４ｃが密着するのを防ぐことができる。
【００１６】
また、外層口部１１ａにおいて、シール面１７よりも前記中心軸線Ｏ方向の上方に位置する部分の外径が、このシール面１７の外径よりも小さく、かつシール凸部１６の内径よりも小さくされているので、封止キャップ１４を容器本体１３の口部１３ａに着脱する際に、シール凸部１６が外層口部１１ａの外面に引っかかるのを抑制することが可能になり、シール凸部１６を形成したことによって、封止キャップ１４を容器本体１３の口部１３ａに着脱し難くなるのを防ぐことができる。
【００１７】
なお、本発明の技術的範囲は前記実施の形態に限定されるものではなく、本発明の趣旨を逸脱しない範囲において種々の変更を加えることが可能である。
例えば、前記実施形態では、外層１１、内層１２、封止キャップ１４およびシール材１８を形成する各材質は前記実施形態のものに限られない。また、空気孔１５の個数および形成位置は前記実施形態に限定されるものではない。例えば、空気孔１５を外層口部１１ａに２つ形成し、これらの空気孔１５を、外層口部１１ａにおいてこの積層剥離ボトル１０の中心軸線Ｏを挟んで径方向に対向する位置にそれぞれ形成してもよい。そして、外層１１および内層１２が互いに対向する面において、各空気孔１５、１５が位置する周方向位置を回避した部分同士、特に周方向における各空気孔１５、１５間の中間位置を、前記中心軸線Ｏ方向の全域にわたって接着するのが好ましい。さらに、空気孔１５の平面視形状は円形に限らず、例えば多角形状であってもよい。
【００１８】
また、前記実施形態に代えて、シール凸部１６を外層口部１１ａの外面に形成する一方、シール面１７を封止キャップ１４の周壁部１４ｂに形成してもよい。この場合、封止キャップ１４の周壁部１４ｂにおいて、シール面１７よりも前記中心軸線Ｏ方向の下方に位置する部分の内径は、このシール面１７の内径よりも大きく、かつシール凸部１６の外径よりも大きくされるのが好ましい。このような構成においても、前記実施形態と同様の作用効果が奏される。
【産業上の利用可能性】
【００１９】
内層内の内容物やこれに含有された成分の蒸発等による気化ガスが外部に漏出するのを防ぐことができる。
【図面の簡単な説明】
【００２０】
【図１】本発明に係る一実施形態として示した積層剥離ボトルの容器本体を示す一部断面図である。
【図２】図１に示す容器本体に封止キャップが螺着された積層剥離ボトルの一部拡大断面図である。
【符号の説明】
【００２１】
１０  積層剥離ボトル
１１  外層
１１ａ  外層口部（外層における口部の形成部分）
１１ｂ  雄ねじ部
１２  内層
１３  容器本体
１３ａ  口部
１４  封止キャップ
１４ｂ  周壁部
１４ｃ  雌ねじ部
１５  空気孔
１６  シール凸部
１７  シール面
【図１】
0004846428.tif 000002
【図２】
0004846428.tif 000003